(57)【要約】【課題】電気回路の追加・変更等により回転スイッチ数を変更する必要が生じた場合、シャフトや多連回転スイッチ全体を交換することなく、簡単に回転スイッチを増設することが可能な多連回転スイッチを提供すること。【解決手段】シャフト挿通用の貫通孔１５が形成されたケーシング１４と、ケーシング１４内に回転可能に設置された回転体１８と、同じくケーシング１４内に設置され回転体１８の回転動作に伴ってオン・オフされるスイッチ２３と、を有する回転スイッチ１２を、貫通孔１５の位置を合わせて所定数重ねて固定し、貫通孔１５にシャフトを挿通しこのシャフトの回転により各回転スイッチ１２の回転体１８を一括回転操作する多連回転スイッチにおいて、シャフトは、接合可能に分割された複数の短尺ピース１６から構成され、シャフトの短尺ピース１６は、接合された状態で、互いに回転力伝達可能に構成されている。【選択図】図１
2012252936.tif 000002
【特許請求の範囲】
【請求項１】
シャフト挿通用の貫通孔が形成されたケーシングと、該ケーシング内に回転可能に設置された回転体と、同じく前記ケーシング内に設置され前記回転体の回転動作に伴ってオン・オフされるスイッチと、を有する回転スイッチを、
前記貫通孔の位置を合わせて所定数重ねて固定し、前記貫通孔にシャフトを挿通し該シャフトの回転により前記各回転スイッチの回転体を一括回転操作する多連回転スイッチにおいて、
前記シャフトは、
接合可能に分割された複数の短尺ピースから構成され、
該シャフトの短尺ピースは、接合された状態で、互いに回転力伝達可能に構成されたことを特徴とする多連回転スイッチ。
【請求項２】
前記シャフトの分割は、前記回転スイッチ毎に前記短尺ピースが配されるように行われ、且つ各々の短尺ピースには該短尺ピースの回転力が伝達可能に前記回転体が装着されたことを特徴とする請求項１に記載の多連回転スイッチ。
【請求項３】
前記シャフトの短尺ピースは、
一端面に中心から連続して放射状に伸びる凹溝を有し、
他端面に前記凹溝に係合可能な中心から連続して放射状の伸びる凸部を有し、
前記シャフトの短尺ピースの接合は、
前記凹溝と前記凸部を当接させて行われることを特徴とする請求項１又は２の何れか１項に記載の多連回転スイッチ。
【発明の詳細な説明】
【技術分野】
【０００１】
本発明は、多連回転スイッチ、特に複数固定された回転スイッチをシャフトにより同時に切り替える多連回転スイッチに関する。
【背景技術】
【０００２】
発変電所の遠隔制御装置や保護継電器等の制御盤には電気回路を切り替えるため数多くのスイッチが使用されている。図４（ａ）は、制御盤に取り付けられた数多くのスイッチの内の多連回転スイッチについての説明図である。多連回転スイッチ３０は、単体の回転スイッチ４０が複数重ねて固定され、１本のシャフト３２により、複数の回転スイッチ４０が一斉にスイッチングされる構成になっている（例えば、特許文献１、２等を参照）。
【０００３】
図４（ｂ）に示すように、単体の回転スイッチ４０は、薄い箱型のケーシング４２を有し、ケーシング４２にはシャフト３２を挿通するシャフト挿通用の貫通孔４８が設けられている。そして、ケーシング４２の内部に回転体３６とこの回転体３６の回転動作に伴ってオン・オフされるスイッチ３８を有している。回転体３６は、カム板状であり、中心部に略四角形状の断面を有する貫通孔４４が形成されている。この貫通孔４４に挿通された回転体回転用のシャフト３２は、貫通孔４４の形状に対応する略四角形の断面形状を有し、その回転により回転体３６を回転させることが可能である。スイッチ３８は、回転体３６の凹部３６ａでは接点がオンされ、凸部３６ｂではオフされるように構成されている。図示したスイッチ３８の接点数は一つであるため、２本のリード線４６がケーシング４２から突出している。
【０００４】
また、シャフト３２は、制御盤表面若しくは制御盤内に設置された回転機構３４により回転される。図４（ａ）では、回転機構３４は、図面簡略化のため概念的に描写されており、実際にはハンドル、摘み又は電気的にシャフト３２を回転する機構体を有している。シャフト３２の回転により、上記回転体３６が回転し、回転スイッチ４０は一斉にオン、オフ制御されることとなる。なお、回転スイッチ４０として１接点のものを例示したが、多接点のものにおいても回転体３６をシャフト３２により回転してスイッチングを行う構成は同様である。
【０００５】
通常、制御盤に多連回転スイッチ３０を取り付ける場合、回転スイッチ４０は遠隔制御装置や保護継電器等の電気回路を切り替えるのに必要な数が選択されてセットされる。回転スイッチ４０は、シャフト挿通用の貫通孔４８の位置を合わせ、重ね固定される。図４（ａ）においては、８つの回転スイッチ４０が重ね固定されている。この重ね固定の方法は、例えば、ケーシング４２に穴を開け、この穴に長尺のボルトを通してナットにより全体を固定する方法や、ケーシング４２の側部に突起片を設け、この突起片に貫通孔を形成して全体をボルトとナットで固定する方法等が挙げられる。
【０００６】
シャフト３２は、取り付けた回転スイッチ４０の数量だけ操作できる充分の長さを有している。なお、図４（ａ）で示したシャフト３２は、４角柱体状であるが、６角形状のような多角形状のものもある。
【先行技術文献】
【特許文献】
【０００７】
【特許文献１】特開平８−２６４０７１号公報
【特許文献２】特開平８−２７３４９０号公報
【発明の概要】
【発明が解決しようとする課題】
【０００８】
前述したように、回転スイッチ４０は遠隔制御装置や保護継電器等の電気回路を切り替えるのに必要な数が選択されてセットされる。装置等の運用開始後に設計変更等の必要が生じ、回転スイッチ４０を増設する場合は、増設する回転スイッチ４０を既設の回転スイッチ４０に重ね固定してシャフト３２を長いものに交換する必要がある。若しくは、既設の多連回転スイッチ３０を、必要数揃った別の多連回転スイッチに交換する必要がある。シャフト３２を長いものに交換する場合は、一旦シャフト３２を抜く作業が必要であり、また、多連回転スイッチを交換する場合、既設の回転スイッチ４０に接続されていたコード４６を外して、新しい多連回転スイッチに接続し直す作業が必要となる。したがって、回転スイッチの増設作業は、煩雑であり長時間を要していた。
【０００９】
本発明は、上記課題に鑑みてなされたものであり、その目的は、電気回路の追加・変更等により回転スイッチ数を変更する必要が生じた場合、シャフトや多連回転スイッチ全体を交換することなく、簡単に回転スイッチを増設することが可能な多連回転スイッチを提供することにある。
【課題を解決するための手段】
【００１０】
上記目的を達成するため、請求項１に記載の多連回転スイッチは、シャフト挿通用の貫通孔が形成されたケーシングと、該ケーシング内に回転可能に設置された回転体と、同じく前記ケーシング内に設置され前記回転体の回転動作に伴ってオン・オフされるスイッチと、を有する回転スイッチを、前記貫通孔の位置を合わせて所定数重ねて固定し、前記貫通孔にシャフトを挿通し該シャフトの回転により前記各回転スイッチの回転体を一括回転操作する多連回転スイッチにおいて、前記シャフトは、接合可能に分割された複数の短尺ピースから構成され、該シャフトの短尺ピースは、接合された状態で、互いに回転力伝達可能に構成されたことを特徴とする。
【００１１】
この構成により、回転スイッチを増設する場合には、シャフト長は、短尺ピースを継ぎ足して接合し所望の長さとすることができ、且つ隣接する短尺ピース同志は回転力を伝達することが可能である。すなわち、短尺ピースを組み合わせることで一体のシャフトを構成することができるので、これまでのようにシャフトを長いものに交換することも、多連回転スイッチ全体を交換することも必要とせず、簡単に回転スイッチを増設することが可能である。
【００１２】
請求項２に記載の多連回転スイッチは、請求項１に記載の多連回転スイッチにおいて、
前記シャフトの分割は、前記回転スイッチ毎に前記短尺ピースが配されるように行われ、且つ各々の短尺ピースには該短尺ピースの回転力が伝達可能に前記回転体が装着されたことを特徴とする。したがって、回転スイッチを重ね固定するだけで同時に一体のシャフトが構成される。すなわち、回転スイッチの積層動作だけで所望の長さの多連回転スイッチを形成することができる。また、増設についても、回転スイッチは１つずつ簡単に増設することが可能である。回転スイッチの数を減らす場合にも所望の個数の回転スイッチを取り外すだけで簡単に変更を行うことが可能である。
【００１３】
請求項３に記載の多連回転スイッチは、請求項１又は２の何れか１項に記載の多連回転スイッチにおいて、前記シャフトの短尺ピースは、一端面に中心から連続して放射状に伸びる凹溝を有し、他端面に前記凹溝に係合可能な中心から連続して放射状の伸びる凸部を有し、前記シャフトの短尺ピースの接合は、前記凹溝と前記凸部を当接させて行われることを特徴とする。したがって、簡単な構成で且つ簡単な接合作業で短尺ピースの組み合わせ作業が可能であり、且つ、確実な回転力の伝達作用を確保することができる。すなわち、短尺ピースの端面同志を当接させるだけで接合が終了し、回転力の伝達も的確に行われることとなる。
【発明の効果】
【００１４】
本発明の多連回転スイッチによれば、装置等の運用開始後に設計変更等の必要が生じ回転スイッチを変更するときに、シャフト全体を交換したり多連回転スイッチ全体を交換することなく、簡単に短時間で回転スイッチの数の変更を行うことが可能である。したがって、回転スイッチの増設等の作業時間の短縮化、作業コストの軽減化が達成できる。
【図面の簡単な説明】
【００１５】
【図１】本発明の実施の形態に係る多連回転スイッチの概略斜視図を示す。
【図２】図１の多連回転スイッチを構成する単体の回転スイッチの概略説明図（ａ）と、回転スイッチの多連化の概略説明図（ｂ）である。
【図３】図１の多連回転スイッチを構成する単体の回転スイッチの短尺ピースの概略斜視図（ａ）と、回転スイッチの重ね固定の説明図（ｂ）である。
【図４】従来の多連回転スイッチの説明図（ａ）であり、同図（ｂ）は従来の多連回転スイッチを構成する単体の回転スイッチの説明図である。
【発明を実施するための形態】
【００１６】
以下、本発明の多連回転スイッチの実施の形態について、図面を参照しつつ詳述する。図１は、本発明の実施の形態に係る多連回転スイッチの概略斜視図を示す。図２は、図１の多連回転スイッチを構成する単体の回転スイッチの概略説明図（ａ）と回転スイッチの多連化の概略説明図（ｂ）である。図３は、図１の多連回転スイッチを構成する単体の回転スイッチの短尺ピースの概略斜視図（ａ）と、回転スイッチの重ね固定の説明図（ｂ）である。
【００１７】
多連回転スイッチ１０は、単体の回転スイッチ１２を重ね固定した構成になっている。図１では、８つの回転スイッチ１２がシャフト挿通用の貫通孔１５の位置を合わせて重ね固定されている。単体の回転スイッチ１２は、図２（ａ）に示すように、薄い箱型のケーシング１４を有する。ケーシング１４の中央にはシャフト挿通用の略円形の貫通孔１５が形成されている。ケーシング１４の内部には回転体１８と、この回転体１８の回転動作によりオン・オフ制御されるスイッチ２３を有する。スイッチ２３が回転体１８の回転動作に伴ってスイッチングされる構成は、背景技術で説明したものと同様であり、その詳細な説明は省略する。
【００１８】
単体の各回転スイッチ１２には、それぞれ分割されたシャフトである短尺ピース１６が配置されている。すなわち、多連回転スイッチを操作するシャフトは、一体ではなく回転スイッチ１２毎に存在する短尺ピース１６によって構成されている。そして、短尺ピース１６は回転体１８の中央の貫通孔１５に同軸上に固定されており、短尺ピース１６を回転させると回転体１８が回転されるように構成されている。この各短尺ピース１６の回転体１８への固定は、図示していないが、回転体１８の貫通孔１５に嵌合固定することや、更に回転力の伝達をより確実にするために短尺ピース１６の外表面に凸又は凹部を形成し、これを対応して貫通孔１５に形成した凹部、凸分と嵌合させるようにすることも好適である。このように短尺ピース１６は、スイッチ２３をオン、オフする回転体１８に様々な態様で固定されるので、短尺ピース１６は回転スイッチ１２のケーシング１４から抜け落ちることはない。
【００１９】
ケーシング１４の上部（図２（ａ）上では上側）には、ネジ用貫通孔３０ａ-１、３０ａ−２と、ネジ孔３２ａ−１、３２ａ−２が交互に合計４つ、形成されている。下部には、上部と同様にネジ用貫通孔３０ｂ−１、３０ｂ−２と、ネジ孔３２ｂ−１、３２ｂ−２が交互に合計４つ形成されている。また、上部と下部ではネジ用貫通孔３０とネジ孔３２の並びの順序が異なっている。
【００２０】
図２（ｂ）は、単体の回転スイッチの多連化する前の状態を示す概略説明図である。単体の回転スイッチ１２を、シャフト挿通用の貫通孔１５の位置を合わせて、必要な数だけ重ね合わせ、その後に相互に回転スイッチ１２を固定することで多連回転スイッチが構成される。図２（ｂ）では、３つの単体の回転スイッチ１２を重ね合わせる様子が示されている。回転スイッチ１２を重ね合わせることにより、回転スイッチ１２の短尺ピース１６は相互に接合し、接合された状態で互いに回転力が伝達可能に構成されている。また、単体の回転スイッチ１２を重ね合わせた場合、重ねの方向で見ると、ネジ用貫通孔３０とネジ孔３２が交互に位置されるように単体の回転スイッチ１２において、ネジ用貫通孔３０とネジ孔３２との並びの順序を変えている。これは、図３（ｂ）で後述するように、回転スイッチ１２を相互に重ね固定するためである。
【００２１】
図３（ａ）は短尺ピースの概略斜視図である。短尺ピース１６の長さは、単体の回転スイッチ１２のケーシング１４におけるシャフト挿通用の貫通孔１５の貫通長さとほぼ同一に設定されている。すなわち、ケーシング１４の厚さと略同一である。したがって、単体の回転スイッチ１２を重ね合わせた場合に、それらのケーシング間に隙間は形成されない。短尺ピース１６は、略円柱体形状であり、一端面に中心から連続して放射状に伸びる凹溝１６ｂを有し、他端面に凹溝１６ｂに係合可能な中心から連続して放射状の伸びる凸部１６ａを有している。短尺ピース１６の接合は、凹溝１６ｂと凸部１６ａを当接させることにより行われる。なお、短尺ピース１６の長さは、前述したようにケーシング１４の厚さと略同一であるが、詳細にはケーシング１４の横から見ると、短尺ピース１６の凸部１６ａの突起分だけケーシング１４から突出しており、また凹溝１６ｂは、凸部１６ａの突起分に対応して掘り下げられた分だけケーシング１４の表面から下がっている。これにより前述したように回転スイッチ１２を重ね合わせた場合にケーシング１４の間には隙間は形成されない。
【００２２】
以上の構成により、多連回転スイッチ１０を構築する場合、また回転スイッチ１２を増設する場合、単体の回転スイッチ１２を重ね合わせることで、短尺ピース１６同志の接合が行われ、短尺ピース１６同志の回転力伝達が的確に行われることとなる。すなわち、多連回転スイッチを操作するシャフトの構築は、単体の回転スイッチ１２の重ね合わせるという作業だけで簡単に行うことができる。
【００２３】
図３（ｂ）は、回転スイッチの重ね固定の概略説明図である。単体の回転スイッチ１２を多連化する方法については図２（ｂ）で述べた。ここで、前述のように重ねた回転スイッチ１２を重ね合わせた方向で見ると、ネジ切りされていないネジ用貫通孔３０とネジ切りされたネジ孔３２が回転スイッチ１２の前後において並びが逆になるように交互に配置される。したがって、回転スイッチ１２を増設する場合には、既設の最後尾の回転スイッチ１２（例えば、図３（ｂ）では奥側の回転スイッチ１２）に、増設する回転スイッチ１２（例えば、図３（ｂ）では手前側の回転スイッチ１２）を、貫通孔１５の位置を合わせて重ね合わせた後に、増設する回転スイッチ１２のネジ用貫通孔３０ａ-１、３０ａ−２、３０ｂ−１、３０ｂ−２にネジを挿入し、既設の最後尾の回転スイッチ１２の対応するネジ孔３２ａ−１、３２ａ−２、３２ｂ−１、３２ｂ-２にネジを螺合させることで為される。本実施の形態では、上記のように４か所でネジ止め固定することが可能である。なお、回転スイッチ１２の上下でネジ孔３２の位置をずらしているので、重ね固定の際にケーシング１４での応力の偏りが防止される。
【００２４】
増設した回転スイッチ１２に更に、他の回転スイッチ１２を増設する場合は、同様に、増設した回転スイッチ１２に他の増設する回転スイッチ１２を、貫通孔１５の位置を合わせて重ね合わせ、他の増設する回転スイッチ１２のネジ用貫通孔３０ａ-１、３０ａ−２、３０ｂ−１、３０ｂ−２にネジを挿入し、先に増設した回転スイッチ１２の対応するネジ孔３２ａ−１、３２ａ−２、３２ｂ−１、３２ｂ-２にネジを螺合させることで為される。このようにして回転スイッチ１２を無制限に増設することが可能である。
【００２５】
回転スイッチ１２のケーシング１４がネジ止め固定されることで、短尺ピース１６同士は接合状態となり一体のシャフトが構成されることとなる。したがって、最初の回転スイッチ１２（制御盤等の裏側に最初に取り付けられた回転スイッチ）の短尺ピース１６を回転させると、その短尺ピース１６の回転力が増設された回転スイッチ１２の短尺ピース１６に伝達され、回転スイッチ１２は全て同時にオン、オフ制御されることとなる。なお、最初の回転スイッチ１２は、短尺ピース１６の凸状部１６ａ又は凹状部１６ｂに嵌合する凹状部１６ｂ又は凸状部１６ａが形成されたシャフト２１を有する回転機構２０（図２（ｂ）では背景技術と同様に概念的に描写している）により回転することができる。
【００２６】
本発明の実施の形態の多連回転スイッチ１０によれば、多連回転スイッチ１０を操作するシャフトは、回転スイッチ１２毎に分割された複数の短尺のピース１６から構成され、それぞれの短尺ピース１６は回転体１８に固定されている。したがって、回転スイッチ１２を重ね固定するだけで同時に一体のシャフトが構成される。すなわち、回転スイッチ１２の積層動作だけで所望の長さの多連回転スイッチ１０を形成することができる。また、増設についても、回転スイッチ１２は１つずつ簡単に増設することが可能である。したがって、電気回路の追加・変更等により回転スイッチを増設する必要が生じた場合、従来のようにシャフトを長いものに交換する作業や、多連回転スイッチそのもの全体を交換する必要はなく、増設のための作業時間の短縮や増設するのに必要なコストを低く抑えることができる。
【００２７】
なお、本発明は、上述の形態に限定されるものではなく、本発明の趣旨を逸脱しない範囲で種々の変更が可能である。例えば、回転スイッチ１２の増設の場合を主たる例として示したが、これに限らず、個数の減少の場合にもこれを簡単に行うことができる。また、短尺スイッチ１６は、各回転スイッチ１２の厚さに対応する長さに設置した例のみ示したが、この構成に限らず、２つの回転スイッチ１２毎に分割する場合やその他種々のサイズに分割する場合でも、本発明の基本的な作用を奏することが可能である。また、短尺ピース１６は略円柱体のものを例示したが４角柱体であっても良い。また、回転スイッチの重ね固定方法はネジ孔とネジ用貫通孔を用いたが、全体を一本の長いボルトで固定する方法でも良い。
【符号の説明】
【００２８】
１０、３０  多連回転スイッチ
１２、４０  回転スイッチ
１４、４２  ケーシング
１５、４８  シャフト挿通用貫通孔
１６  短尺ピース
１６ａ  凸部
１６ｂ  凹溝
１８、３６  回転体
２０、３４  回転機構
２３、３８  スイッチ
３０ａ、３０ｂ  ネジ用貫通孔
３２ａ、３２ｂ  ネジ孔
３２  シャフト
４４  貫通孔
４６  リード線
【図１】
2012252936.tif 000003
【図２】
2012252936.tif 000004
【図３】
2012252936.tif 000005
【図４】
2012252936.tif 000006